(57)【要約】      （修正有）【課題】より利用しやすい形で、記憶された画像データに基づいて画像を検索・閲覧するなどのデータ処理を行うことにより、使用者の使い勝手を向上させたデータ処理システム及び画像検索閲覧システムを提供する。【解決手段】操作部２１ａを有しメディア読取装置２１ｂを接続可能な第１の表示装置２１と、第２の表示装置２２とは、インターネットやローカルエリアネットワークなどを介して外部サーバー２３に接続されている。使用者が、例えば特定の画像を検索して、第１の表示装置２１に表示させることを所望する場合、第１の表示装置２１を操作して検索情報を入力する。第１の表示装置２１の操作に応じ、第２の表示装置２２に表示される前記画像コンテンツに関連した情報が変化する。【選択図】図３
2007172614.tif 000002
【特許請求の範囲】
【請求項１】
画像コンテンツを主に表示する第１の表示装置と、
前記画像コンテンツに関連した情報を主に表示する第２の表示装置と、
前記第１の表示装置と前記第２の表示装置とに接続された外部サーバーとを有し、
前記第１の表示装置の操作に応じ、前記第２の表示装置に表示される前記画像コンテンツに関連した情報が変化することを特徴とする画像検索閲覧システム。
【請求項２】
前記画像コンテンツは、前記第１の表示装置に接続されたローカル記憶装置に記憶されている画像データに基づいて、前記第１の表示装置に表示されることを特徴とする請求項１に記載の画像検索閲覧システム。
【請求項３】
前記画像コンテンツを主に表示する前記第１の表示装置において、前記画像コンテンツと、前記ローカル記憶装置に記憶されているスイッチ情報に基づいて、前記外部サーバーに記憶された画像情報を表示することを特徴とする請求項２に記載の画像検索閲覧システム。
【請求項４】
前記画像情報は、広告、宣伝、画像の撮影時に近い当時の画像、画像コンテンツに近い風景または事件画像のいずれか、または、その組み合わせに関する情報を含むことを特徴とする請求項３に記載の画像検索閲覧システム。
【請求項５】
前記ローカル記憶装置に記憶されているスイッチ情報に基づいて、前記外部サーバーに記憶された情報の表示が禁止されることを特徴とする請求項２乃至４の何れか１項に記載の画像検索閲覧システム。
【請求項６】
前記第２の表示装置には、前記第１の表示装置に表示されている画像の時間的な順位付けをするために利用される情報が表示されることを特徴とする請求項１乃至５の何れか１項に記載の画像検索閲覧システム。
【請求項７】
前記第１の表示装置は、テレビであることを特徴とする請求項１乃至６の何れか１項に記載の画像検索閲覧システム。
【発明の詳細な説明】
【技術分野】
【０００１】
本発明は、例えば記憶された画像データに基づいて画像を閲覧するなどのデータ処理を行う技術に関する。
【背景技術】
【０００２】
デジタルスチルカメラやスキャナーで画像を画像データに変換し、ＣＤ−Ｒなどの記憶媒体に記憶することが行われている。ところで、近年は、記憶媒体の大容量化が進み、例えばＤＶＤなどの記憶媒体においては、ギガ単位で画像データを記憶できるようになってきた。従って、かかる記憶媒体１枚の中には、所定のフォーマットで膨大な数の画像を記憶することが可能となる。
【発明の開示】
【発明が解決しようとする課題】
【０００３】
ところが、ＤＶＤなどの記憶媒体に記憶された画像データに基づいて画像を表示する、或いはプリントするといったデータ処理装置においては、更に技術革新が激しく、短いサイクルでデータ処理ソフトのバージョンアップが行われたり、製品のモデルチェンジが行われたり、データ処理ソフトが動作するプラットフォームもまちまちである。このようなデータ処理ソフトの変化に対し、これまで、ソフト提供者はデータ処理ソフトとともに、処理する画像データ、及ぴ処理に必要なデータも記憶し直さなければならなかった。特に、処理する画像データ数が膨大な場合には、相当な時間がかかっていた。
【０００４】
このようなデータ処理装置の進化に対し、旧式のフォーマットで画像データを記憶した記憶媒体から画像データを読み出せないことも考えられる。従って、かかる記憶媒体中に記憶された画像データに基づいて、データ処理を所望する者は、専用のソフトなどを用いて、新しいデータ処理装置が読み出せるフォーマット、もしくは新しい記憶媒体に、オリジナルの画像データを変換して新たに記憶させるという追加の作業を余儀なくされ、それには相当な時間がかかる場合もありえる。
【０００５】
一方、インターネットなどのネットワークを通じて、画像プリント注文などのデータ処理サービスを行うことも考えられている。かかるサービスは、インターネットなどに接続されたパソコンなどを通じて提供され、それにより顧客は、自宅もしくはオフィスに居ながらにしてサービスを受けることが出来るという利点がある。
【０００６】
ところが、パソコンは、比較的高価であったり、様々なソフトに対して対応できる柔軟性を持ち合わせているといった理由から、データ処理サービスを受けることを所望する全ての顧客が常に利用できるものではない。これに対し、各家庭に必ず備えられているテレビは、画像を表示するディスプレイとして用いることが出来るという実情がある。また、高性能なＣＰＵを備えネットワークに接続可能な家庭用電化製品（例えば家庭用ゲーム機）も登場しているという実情もある。ところが、例えば家庭用ゲーム機には、特定の記憶媒体のみにアクセスを許容して不正なソフトの使用を禁止する保護機能が設けられているため、これをそのままパソコンの代わりに使用することは困難であるという問題がある。
【０００７】
更に、記憶媒体内に記憶された膨大な量の画像の内、特定の画像を効率的に検索できれば便利である。ところが、画像データの検索には、明確なキーワードなどが必要であるが、記憶が曖昧であるとキーワードさえ明確にならないといった問題がある。
【０００８】
本発明は、かかる問題点に鑑み、より利用しやすい形で、記憶された画像データに基づいて画像を検索・閲覧するなどのデータ処理を行うことにより、使用者の使い勝手を向上させた画像検索閲覧システムを提供することを目的とする。
【課題を解決するための手段】
【０００９】
本発明の目的は、下記構成により達成することができる。
【００１０】
１．画像コンテンツを主に表示する第１の表示装置と、
前記画像コンテンツに関連した情報を主に表示する第２の表示装置と、
前記第１の表示装置と前記第２の表示装置とに接続された外部サーバーとを有し、
前記第１の表示装置の操作に応じ、前記第２の表示装置に表示される前記画像コンテンツに関連した情報が変化することを特徴とする画像検索閲覧システム。
【００１１】
２．前記画像コンテンツは、前記第１の表示装置に接続されたローカル記憶装置に記憶されている画像データに基づいて、前記第１の表示装置に表示されることを特徴とする１に記載の画像検索閲覧システム。
【００１２】
３．前記画像コンテンツを主に表示する前記第１の表示装置において、前記画像コンテンツと、前記ローカル記憶装置に記憶されているスイッチ情報に基づいて、前記外部サーバーに記憶された画像情報を表示することを特徴とする２に記載の画像検索閲覧システム。
【００１３】
４．前記画像情報は、広告、宣伝、画像の撮影時に近い当時の画像、画像コンテンツに近い風景または事件画像のいずれか、または、その組み合わせに関する情報を含むことを特徴とする３に記載の画像検索閲覧システム。
【００１４】
５．前記ローカル記憶装置に記憶されているスイッチ情報に基づいて、前記外部サーバーに記憶された情報の表示が禁止されることを特徴とする２乃至４の何れか１項に記載の画像検索閲覧システム。
【００１５】
６．前記第２の表示装置には、前記第１の表示装置に表示されている画像の時間的な順位付けをするために利用される情報が表示されることを特徴とする１乃至５の何れか１項に記載の画像検索閲覧システム。
【００１６】
７．前記第１の表示装置は、テレビであることを特徴とする１乃至６の何れか１項に記載の画像検索閲覧システム。
【発明の効果】
【００１７】
本発明によれば、より利用しやすい形で、記憶された画像データに基づいて画像を検索・閲覧するなどのデータ処理を行うことにより、使用者の使い勝手を向上させたデータ処理システム及び画像検索閲覧システムを提供することができる。
【発明を実施するための最良の形態】
【００１８】
以下、本発明による実施の形態を、図面を参照して説明する。
【００１９】
図１は、第１の実施の形態にかかるデータ処理装置を示すブロック図である。データ処理装置１０は、表示用メモリ１１と、ディスプレイなどの表示部１２と、処理用メモリ１３と、データ保存用メモリ１４と、ユーザ操作部１５と、追記不可のメディア（記憶媒体）Ｍ１と追記可のメディアＭ２にアクセスして、記憶されているデータを読み取るメディア読取部１６と、これらに接続されて制御を行うＣＰＵ１７とを有している。尚、家庭用ゲーム機をデータ処理装置１０として用いる場合には、表示部１２はテレビを使用出来る。
【００２０】
ここで、第１の記憶媒体としての追記不可のメディア（記憶媒体）Ｍ１には画像検索、閲覧、処理（加工）用のプログラムが記憶されており、第２の記憶媒体としての追記可のメディアＭ２には、画像データ及び画像データに関する情報（画像撮影時、画像撮影場所など）が、データベースを構築されて記憶されている。
【００２１】
使用者が、画像を検索して閲覧したい場合、データ処理装置１０のメディア読取部１６に、まず追記不可のメディアＭ１内の画像検索、閲覧、処理（加工）用のプログラムを読み取らせ、データ保存用メモリ１４に記憶する。その後、ユーザ操作部１５の操作によって、かかるプログラムを実行させ、追記可のメディアＭ２内の画像データに関する情報（画像撮影時、画像撮影場所など）に基づいて、記憶された画像データを検索できる。検索された画像データは表示用メモリ１１に記憶されて、それに基づいて画像が表示部１２に表示され、また画像合成などの処理は、処理用メモリ１３を用いて行われる。
【００２２】
本実施の形態のデータ処理システムによれば、データベース内のデータを処理（閲覧、検索、処理）する機能をもったプログラムを記憶したメディアＭ１と、前記処理に必要なデータを記憶した第２のメディアＭ２の双方にアクセスすることによって、前記データベース内のデータの処理を行うので、例えばデータ処理用のプログラムに変更の必要が生じたような場合でも、前記メディアＭ１のみを新規なものと交換するだけで、そのプログラムのバージョンアップが容易に出来、その場合でもメディアＭ２はそのまま使用出来るため、メディアＭ２には長い年月に渡って画像データを記憶することができ、またいつでも画像データを読み出せるので便利である。
【００２３】
更に、メディアＭ１に記憶されたプログラムは、複数の画像を登録、閲覧、検索、加工出来る機能を有するが、かかるプログラムの別な機能に基づいて、例えばインタフェース１９を介して、データ処理装置１０をプリンタ（不図示）につないで画像のプリントを行ったり、或いはインターネットなどのネットワークを介して、ラボにプリントオーダーを行ったりすることも考えられる。
【００２４】
又、メディアＭ２が追記可能であるＤＶＤ−ＲＡＭなどであれば、画像データを逐次蓄積することができ、一方、メディアＭ１が追記不可であるＤＶＤ−ＲＯＭであれば、プログラムの不正な書き換えが防止できるので好ましい。
【００２５】
更に、ラボ又はミニラボで、ネガの画像をフィルムスキャナによりデジタイズ（画像データ化）して画像及び検索に必要な情報を第２の記憶媒体（メディアＭ２）に記憶するサービスが考えられる。かかるサービスを利用する場合、通常、８ビットに落とされて記憶される前の１０〜１２ビットの情報量の多いオリジナル画像データを利用すれば、検索に必要な情報を効率的に抽出できるので、検索の精度が上がるという効果がある。ここで、検索に必要な情報とは、例えば、色に関するヒストグラムや複雑度を示す。このような情報を記憶することにより、キーワードを付加せず、画像の特徴から自動的に類似の画像を検索することが出来る。
【００２６】
又、メディアＭ２に、画像データ及び検索に必要なデータを書き込む際には、検索に必要なデータが書き込まれた後、画像データが書き込まれれば、検索に必要なデータを迅速に読み取ることが出来るので好ましい。
【００２７】
更に、画像データ及び検索に必要なデータが、複数個のメディアＭ２にわたって記憶されている時に、後に書き込まれたメディアＭ２には、それ以前に書き込まれたメディアＭ２に記憶されている画像の縮小データ及び検索に必要なデータが記憶されていれば、時系列的に最後のメディアＭ２のみを用いれば、データの大小は別として、全てのメディアＭ２に記憶されている画像データを読み出すことができるので、画像の検索、閲覧、加工が容易となる。
【００２８】
又、後から画像データが記憶されたメディアＭ２のみを用いて、異なるメディアＭ２に記憶されているオリジナル画像データの処理を行う場合には、メディアに画像データを記憶中に、メディアの空き容量がなくなってしまった場合でも、検索に必要なデータは画像データに先行して記憶されているので、ディスクすなわちメディアを人れ替える回数が少なくなり、迅速に検索処理をすることができる。
【００２９】
ところで、家庭用ゲーム機などのあるタイプにおいては、磁性にコピーされた又は許可されていないプログラムの実行を阻止するために、許可されたプログラムのみを記憶したメディア内に保護キーを添付している。すなわち、かかる家庭用ゲーム機にメディアが装填されたときに、かかる保護キーが添付されているか否か判断し、保護キーが添付されていないメディアからは、プログラムを読み込まないようにしているのである。従って、かかるタイプの家庭用ゲーム機をデータ処理装置として用いる場合、その取り扱いが問題となる。
【００３０】
そこで、本実施の形態にかかるデータ処理システムにおいては、第１の保護キーを記憶した追記不可のメディアＭ１と、少なくとも画像データを記憶した追記可のメディア２との双方にアクセスすることによって、前記画像データの処理を行うようにしている。より具体的に説明すると、例えば家庭用ゲーム機などのデータ処理装置において、許可されていないメディア（ここではメディアＭ２）にアクセスすることを禁止する保護機能が備えられている場合、アクセスを許可されているメディアである、前記第１の保護キーを記憶した追記不可のメディアＭ１に対して、まずデータ処理装置をアクセスさせることによって、かかる保護機能を解除し、ついで追記可のメディアＭ２に対してアクセスさせて、記憶された画像データを読み出せば、パソコンなどに頼ることなく画像の閲覧や検索などのデータ処理が可能となるのである。尚、追記不可のメディアＭ１のみに実行ファイルが記憶されていれば、追記不可のメディアＭ１の不正使用を抑制できるので好ましい。
【００３１】
図２は、メディアＭ１、Ｍ２における保護キーの添付状況を示した図である。ＤＶＤなどのディスク形の記憶媒体であるメディアＭ１、Ｍ２は、通常の情報読み取り機器によりデータを読み取り可能な領域ｔ１と、その内側に、通常の情報読み取り機器ではデータを読み取ることができない領域ｔ２とを有している。本実施の形態のデータ処理装置１０は、領域ｔ２内のデータを読み取ることが出来るものとする。図２（ａ）に示す第１の態様によれば、メディアＭ１の領域ｔ２に保護キー（例えば暗証符号など）が記憶されており、データ処理装置１０がこれを読み取ることによって初めて、メディアＭ２からデータの読み込みを行えるようにするものである。
【００３２】
又、図２（ｂ）に示す第２の態様によれば、メディアＭ１の領域ｔ２に第１の保護キー（例えば暗証符号など）が記憶されており、その領域ｔ１には第２の保護キーが記憶されており、一方、メディアＭ２の領域ｔ１にも、同じ第２の保護キーが記憶されている。まず、データ処理装置１０が第１及び第２の保護キーを読み取って、第１の保護キーに基づき、メディアＭ２からデータの読み込みを可能とし、更にメディアＭ２が読み取ったデータ内に第２の保護キーが含まれていたときに、初めて処理を行うようにすれば、許可されないプログラムの実施をより効果的に抑制できる。尚、メディアＭ１、Ｍ２に記憶される第２の保護キーは、必ずしも同一である必要はなく、データ処理装置１０が、メディアＭ１の第２の保護キーを読み取った後、メディアＭ２の第２の保護キーを読み取ったときに、互いに対応していると判断できる関係があれば足りる。
【００３３】
更に、図２（ｃ）に示す第３の態様によれば、メディアＭ１の領域ｔ２に第１及び第２の保護キー（例えば暗証符号など）が記憶されており、一方、メディアＭ２の領域ｔ２にも第２の保護キーが記憶されている。第２の態様と同様に、データ処理装置１０が第１及び第２の保護キーを読み取って、第１の保護キーに基づき、メディアＭ２からデータの読み込みを可能とし、更にメディアＭ２が読み取ったデータ内に第２の保護キーが含まれていたときに、初めて処理を行うようにすれば、許可されないプログラムの実施をより効果的に抑制できる。
【００３４】
又、図２（ｄ）に示す第２の態様によれば、メディアＭ１の領域ｔ２に第１の保護キー（例えば暗証符号など）が記憶されており、その領域ｔ１には第２の保護キーが記憶されており、一方、メディアＭ２の領域ｔ２には第２の保護キーが記憶されている。まず、データ処理装置１０が第１及び第２の保護キーを読み取って、第１の保護キーに基づき、メディアＭ２からデータの読み込みを可能とし、更にメディアＭ２が読み取ったデータ内に第２の保護キーが含まれていたときに、初めて処理を行うようにすれば、許可されないプログラムの実施をより効果的に抑制できる。
【００３５】
尚、前記追記不可のメディアＭ１に、グローバルサービス情報を記憶し、前記追記可のメディアＭ２にローカルサービス情報を記憶していれば、定期的もしくは不定域にグローバルサービス情報が変更された場合には、追記不可のメディアＭ１のみを取り替えれば良く、ローカルサービス情報を記憶した追記可のメディアＭ２はそのまま継続して使用出来るので便利である。
【００３６】
ところで、膨大な画像データの中から特定の画像を検索する場合、かかる画像については曖昧な記憶しかない場合がある。従って、膨大な画像データの中から、特定の画像を選択するためには、相当な時間を要するという問題がある。これに対し、本発明によれば、以下に述べる本実施の形態のように、曖昧な記憶でも画像を特性する手がかりを与えることが出来る。
【００３７】
本発明の画像検索閲覧システムによれば、画像コンテンツを主に表示する第１の表示装置と、前記画像コンテンツに関連した情報を主に表示する第２の表示装置と、前記第１の表示装置と前記第２の表示装置とに接続された外部サーバーと、を有し、前記第１の表示装置の操作に応じ、前記第２の表示装置により表示される前記画像コンテンツに関連した情報が変化するものである。ここで、「画像コンテンツ」とは、データベースに含まれる画像データを意味する。
【００３８】
図３は、第２の実施の形態の閲覧システムを説明するための図である。図３において、操作部２１ａを有しメディア読取装置２１ｂを接続可能な第１の表示装置２１と、第２の表示装置２２とは、インターネットやローカルエリアネットワークなどを介して外部サーバー２３に接続されている。使用者が、例えば特定の画像を検索して、図３に示す第１の表示装置２１に表示させることを所望する場合、第１の表示装置２１を操作して検索情報を入力することが考えられる。
【００３９】
このとき、使用者が約１０年前に取得した画像であるという曖昧な記憶があれば、これを検索情報として用いることができる。すなわち、検索情報として平成２年というキーワードを入力すると、このキーワードは外部サーバー２３に転送され、平成２年に起きた事件や出来事が検索され、それらに関する情報が第２の表示装置２２に表示されることとなる。第１の表示装置２１の操作に応じ、第２の表示装置２２に表示される前記画像コンテンツに関連した情報が変化するのである。これらの事件や出来事は、文字及び画像の組み合わせからなり、時系列的に並べられると好ましい。
【００４０】
使用者は、第２の表示装置２２に表示された事件や出来事を見て、それらを手がかりに、画像取得に最も近い時期に起きた事件や出来事がないか調べることが出来る。そのような事件などがあれば、事件などの起きた日付の前後に取得された画像を検索して、特定の画像を探し求めることが出来る。
【００４１】
更に、本実施の形態によれば、以下のようなサービスを行うこともできる。特定の画像が判っている場合、これを第１の表示装置２１に表示させると、かかる日付や内容に関わるデータが、外部サーバー２３に転送され、その日付の前後に起きた事件や出来事に関する情報、或いは内容に関連する事件や出来事に関する情報が、第２の表示装置２２に表示されるようになっている。操作者は、これらの事件や出来事を用いて、第１の表示装置２１に表示されている画像に、文字付加などの画像合成処理を行うことが可能となる。
【００４２】
尚、画像データや、検索に必要な画像データに関する情報は、追記可能なメディアに記憶され、ローカル記憶装置としてのメディア読取装置２１ｂから、必要に応じて第１の表示装置２１に読み取られ、第１の表示装置２１に表示されれば好ましい。尚、「ローカル記憶装置」とは、ハードディスク、サーバー、ＣＤやＤＶＤなどの記憶媒体に情報を記憶するピックアップ装置などをいうが、これらに限られない。
【００４３】
又、画像コンテンツを主に表示する第１の表示装置２１において、画像コンテンツと、メディア読取装置２１ｂに記憶されているスイッチ情報に基づいて、外部サーバー２３に記憶された画像情報を表示すると自動的に表示が行われるので好ましい。ここで、「スイッチ情報」は、画像情報を表示する／しないの情報や、どのような画像情報を表示するかを指示する情報を含む。
【００４４】
更に、第２の表示装置２２に表示される情報は、広告、宣伝、画像の撮影時に近い当時の画像、画像コンテンツに近い風景または事件画像のいずれか、または、その組み合わせに関する情報を含むと好ましい。
【００４５】
又、ローカル記憶装置２１ｂに記憶されているスイッチ情報に基づいて、外部サーバー２３に記憶された情報の表示が禁止されると、不要な情報の転送が防止されるので好ましい。
【００４６】
更に、第２の表示装置２２には、第１の表示装置２１に表示されている画像の時間的な順位付けをするために利用する情報が表示されると、より検索がしやすくなり便利である。
【００４７】
又、第１の表示装置２１としてはパソコンを用いることが考えられるが、家庭用ゲーム機を接続したテレビであれば、殆どの家庭にあるので、本実施の形態の画像検索閲覧システムを利用する場合における、使用者の経済的負担を抑制できる。
【００４８】
更に、図３を参照して、ネットワークに接続された端末としての第１の表示装置２１と外部サーバー２３と用いて、ネットワークを介してデータ処理サービスを受けるサービスシステムについて説明する。第１の表示装置２１に接続可能なローカル記憶装置としてのメディア読取装置２１ｂにより読み取り可能なメディアＭには、ユニークなＩＤコードが記憶され、第１の表示装置２１からの例えばプリントオーダーなど使用者のサービス利用に応じて、前記ＩＤコードが転送され、外部サーバー２３内の前記ＩＤコードに対応する課金情報が変更されるので、使用者がＩＤコードを忘れた場合でも、或いは別な端末を用いてデータ処理サービスを受ける場合でも、メディア読取装置２１ｂを第１の表示装置２１に接続することによって、その使用者にユニークなＩＤコードが外部サーバー２３に転送され、前記課金情報を自動的に書き換えるので手間がかからず便利である。
【００４９】
更に、データ処理ソフトが、例えばＣＤ−ＲＯＭの形で提供されるのではなく、ネットワークを通じてダウンロードされて提供されることも考えられる。
【００５０】
図１を参照すると、データ処理装置１０を用いて、インタフェース１９を通じてインターネットなどのネットワークを介し、ユーザーはダウンロードセンター（不図示）から、データ処理用のソフトウェア（ゲームソフトであっても良い）をダウンロードし、ローカルな記憶媒体であるハードディスク（不図示）に記憶することができる。ダウンロードの度に、所定の課金がオンラインで行われ、例えばユーザーの所有する口座から対応する金額が引き落とされる。
【００５１】
ユーザーは、ダウンロードしたソフトウェアと、メディアＭに記憶された画像データ及び検索に必要なデータを利用してデータべース内の画像を閲覧、検索、加工、プリントすることができる。このように、画像データと検索に必要なデータが同一記憶ディスクに記憶されていれば、データ処理を効率的に行うことが出来る。又、画像データはソフトウェアのバージョンアップに関わらず共通に使うことができる。
【００５２】
更に変形例として、ユーザーは、ダウンロードセンターにインターネットを通じてアクセスする機能をもったＣＤ−ＲＯＭを購入することも考えられる。このＣＤ−ＲＯＭをデータ処理装置１０によって起動することで、ＣＤ−ＲＯＭ固有の識別記号をパスワードとして、インターネットを通じてダウンロードセンターにアクセスし、希望のソフトウェアをダウンロードし、ローカルな記憶媒体（ハードディスク）に記憶することができる。
【００５３】
かかる場合、課金はオンラインで行ってもよいし、ＣＤ−ＲＯＭ自体がソフトウェアに相当し、ダウンロードするソフトウェアの値段に相当する値段がついていてもよい。または、ダウンロードセンターにより個人の課金、残金情報を整理し、ＣＤ−ＲＯＭを購入時に支払った金額より差し引くという、プリペイドカードのごとき使用形態も考えられる。この場合、ＣＤ−ＲＯＭ固有の識別記号以外に、個人のパスワードを設定することが必要になる。
【００５４】
このような使用形態によれば、ＣＤ−ＲＯＭの値段がソフトウェアの値段により異なる場合などにも対応でき、しかもオンライン決済のように個人の情報が洩れることがないので、セキュリティ性が高いと考えられる。更に、プリペイドカードとして使う場合については、既払い金額としての上限が決まっているので、使いすぎる心配がないという利点もある。
【００５５】
以上に述べたように、本発明によれば、より利用しやすい形で、記憶された画像データに基づいて画像を検索・閲覧するなどのデータ処理を行うことにより、使用者の使い勝手を向上させた画像検索閲覧システムを提供することができる。
【００５６】
以上、本発明を実施の形態を参照して説明してきたが、本発明は上記実施の形態に限定して解釈されるべきではなく、適宜変更・改良が可能であることはもちろんである。
【図面の簡単な説明】
【００５７】
【図１】第１の本実施の形態にかかるデータ処理装置を示すブロック図である。
【図２】メディアＭ１、Ｍ２における保護キーの添付状況を示した図である。
【図３】第２の実施の形態の閲覧システムを説明するための図である。
【符号の説明】
【００５８】
１０  データ処理装置
１１  表示用メモリ
１２  表示部
１３  処理用メモリ
１４  データ用メモリ
１５  ユーザ操作部
１６  メディア読取部
１７  ＣＰＵ
２１  第１の表示装置
２２  第２の表示装置
２３  外部サーバー
Ｍ１  追記不可のメディア
Ｍ２  追記可のメディア
【図１】
2007172614.tif 000003
【図２】
2007172614.tif 000004
【図３】
2007172614.tif 000005